(57)【特許請求の範囲】
【請求項１】
履物において、
前足領域、踵領域、上記前足領域と上記踵領域を貫くように延びている長手方向軸、前側コバ、前側コバの反対側に位置する後側コバ、外側、および外側の反対側に位置する内側を含むベースプレートと、
着用者の第一趾の下に静止摩擦力をもたらすように、上記ベースプレートの前足領域において上記前側コバおよび内側に近接して配置された第１のクリートであって、該第１のクリートは、第１のコネクタベースと、第１のコネクタベースから延びる少なくとも２つの真直ぐなセグメントとを含み、該第１のクリートの少なくとも２つの真直ぐなセグメントの各々は、第１の端部から第２の端部まで延びる第１の面と、第１の面の反対側の第２の面とを有し、該第１のクリートの少なくとも２つの真直ぐなセグメントは、これらの少なくとも２つの真直ぐなセグメントが角を形成する第１の点で互いに接続し、第１の点における角が上記前側コバと内側との間の一方向を指し示すように配向されている第１のクリートと、
着用者が踵領域へ重心移動するときに静止摩擦力をもたらすように、上記ベースプレートの踵領域において上記ベースプレートの後側コバおよび長手方向軸に近接して配置された第２のクリートであって、該第２のクリートは、第２のコネクタベースと、第２のコネクタベースから延びる少なくとも２つの真直ぐなセグメントとを含み、該第２のクリートの少なくとも２つの真直ぐなセグメントの各々は、第１の端部から第２の端部まで延びる第１の面と、第１の面の反対側の第２の面とを有し、該第２のクリートの少なくとも２つの真直ぐなセグメントは、これらの少なくとも２つの真直ぐなセグメントが角を形成する第２の点で互いに接続し、第２の点における角が上記後側コバの方向を指し示すように配向されている第２のクリートと、
上記ベースプレートの前足領域に配置された第３のクリートであって、該第３のクリートは、第１の端部から第２の端部まで延びる第１の面を有する真直ぐなセグメントを含み、第１のクリートの少なくとも２つの真直ぐなセグメントのいずれのセグメントとも角をなすように配置された第３のクリートと、
上記ベースプレートの前足領域に配置された第４のクリートであって、該第４のクリートは、第１の端部から第２の端部まで延びる第１の面を有する真直ぐなセグメントを含み、第１のクリートの少なくとも２つの真直ぐなセグメントのいずれのセグメントとも角をなすように配置された第４のクリートと、
を備える履物。
【請求項２】
第１のコネクタベースは、上記ベースプレートと平行に設けられるように設計されており、第１のクリートの少なくとも２つの真直ぐなセグメントが第１のコネクタベースから、第１のコネクタベースと垂直な方向に延在することを特徴とする請求項１に記載の履物。
【請求項３】
第２のコネクタベースは、上記ベースプレートと平行に設けられるように設計されており、第２のクリートの少なくとも２つの真直ぐなセグメントが第２のコネクタベースから、第２のコネクタベースと垂直な方向に延在することを特徴とする請求項２に記載の履物。
【請求項４】
第１のクリート、第３のクリートおよび第４のクリートは、上記前足領域の一部を画定し得る円の周縁に沿うように配置されていることを特徴とする請求項１に記載の履物。
【請求項５】
第１の端部から第２の端部まで延びる第１の面と、第１の面の反対側の第２の面とを含む真直ぐなセグメントによって平坦な形状に形成された第５のクリートであって、踵領域に配置された第５のクリートと、
第１の端部から第２の端部まで延びる第１の面と、第１の面の反対側の第２の面とを含む真直ぐなセグメントによって平坦な形状に形成された第６のクリートであって、踵領域に配置された第６のクリートと、
をさらに備える請求項４に記載の履物。  
【請求項６】
上記前足領域における円の周縁内に配置された第５のクリートをさらに含むことを特徴とする請求項４に記載の履物。
【請求項７】
第３のクリートの真直ぐなセグメントは、上記ベースプレートの長手方向軸との間で角をなすように配向されていることを特徴とする請求項４に記載の履物。
【請求項８】
履物において、
前足領域、踵領域、上記前足領域と上記踵領域を貫くように延びている長手方向軸、前側コバ、前側コバの反対側に位置する後側コバ、外側、および外側の反対側に位置する内側を含むベースプレートと、
着用者の第一趾の下に静止摩擦力をもたらすように、上記ベースプレートの前足領域において上記前側コバおよび内側に近接して配置された第１のクリートであって、該第１のクリートは、第１のコネクタベースと、第１のコネクタベースから延びる少なくとも２つの真直ぐなセグメントとを含み、該第１のクリートの少なくとも２つの真直ぐなセグメントの各々は、第１の端部から第２の端部まで延びる第１の面と、第１の面の反対側の第２の面とを有し、該第１のクリートの少なくとも２つの真直ぐなセグメントは、これらの少なくとも２つの真直ぐなセグメントが角を形成する第１の点で互いに接続し、第１の点における角が上記前側コバと内側との間の一方向を指し示すように配向されている第１のクリートと、
上記前足領域に配置された第２のクリートであって、該第２のクリートは、第２のコネクタベースと、第２のコネクタベースから延びる真直ぐなセグメントとを含み、該真直ぐなセグメントは、第１の端部から第２の端部まで延びる第１の面と、第１の面の反対側の第２の面とを有し、第１のクリートよりも内側かつ後方に配置された第２のクリートと、
上記前足領域に配置された第３のクリートであって、該第３のクリートは、第１の端部から第２の端部まで延びる第１の面と、第１の面の反対側の第２の面とを有する真直ぐなセグメントを有し、第１のクリートよりも外側かつ後方に配置されているとともに、第２のクリートよりも外側かつ後方に配置された第３のクリートと、
第１のクリートの少なくとも２つの真直ぐなセグメントのうちの１つ、第２のクリートの真直ぐなセグメントおよび第３のクリートの真直ぐなセグメントが円の周縁に沿って整列するように、第１のクリート、第２のクリートおよび第３のクリートが円を描くように配置されていることを特徴とする履物。
【請求項９】
第４のクリートが、上記ベースプレートの後側コバに隣接して配置されていることを特徴とする請求項８に記載の履物。
【請求項１０】
上記前足領域における円の周縁内に配置された第５のクリートをさらに含むことを特徴とする請求項９に記載の履物。
【請求項１１】
第５のクリートは、真直ぐなセグメントによって平坦な形状に形成されているとともに、第２のクリートとの間および第３のクリートとの間で角をなすように配向されていることを特徴とする請求項１０に記載の履物。
【請求項１２】
第１の端部から第２の端部まで延びる第１の面と、第１の面の反対側の第２の面とを有する真直ぐなセグメントによって平坦な形状に形成された第５のクリートであって、上記内側における静止摩擦力を向上させるように、上記前足領域において第２のクリートよりも後方でかつ上記内側に近接して配置された第６のクリートと、
第１の端部から第２の端部まで延びる第１の面と、第１の面の反対側の第２の面とを有する真直ぐなセグメントによって平坦な形状に形成された第６のクリートであって、上記外側における静止摩擦力を向上させるように、上記前足領域において第３のクリートよりも後方でかつ上記外側に近接して配置された第７のクリートと、
をさらに備える請求項１１に記載の履物。
【請求項１３】
第２のクリートは、第１のクリートの少なくとも２つの真直ぐなセグメントのいずれのセグメントとも角をなすように配向されていることを特徴とする請求項８に記載の履物。
【請求項１４】
第３のクリートは、第１のクリートの少なくとも２つの真直ぐなセグメントのいずれのセグメントとも角をなすように配向されていることを特徴とする請求項１３に記載の履物。
【請求項１５】
履物において、
前足領域、踵領域、上記前足領域と上記踵領域を貫くように延びている長手方向軸、前側コバ、前側コバの反対側に位置する後側コバ、外側、および外側の反対側に位置する内側を含むベースプレートと、
着用者の第一趾の下に静止摩擦力をもたらすように、上記ベースプレートの前足領域において上記前側コバおよび内側に近接して配置された第１のクリートであって、第１のクリートは、上記ベースプレートと平行に配置された第１のコネクタベースと、第１のコネクタベースから垂直に延在する少なくとも２つの真直ぐなセグメントとを含み、第１のクリートの少なくとも２つの真直ぐなセグメントの各々は、第１の端部から第２の端部まで延びる第１の面と、第１の面の反対側の第２の面とを有し、第１のクリートの少なくとも２つの真直ぐなセグメントは、これらの少なくとも２つの真直ぐなセグメントが角を形成する第１の点で互いに接続し、第１の点における角が上記前側コバと内側との間の一方向を指し示すように配置された第１のクリートと、
上記ベースプレートの踵領域において上記ベースプレートの上記後側コバおよび長手方向軸に近接して配置された第２のクリートであって、該第２のクリートは、第２のコネクタベースと、第２のコネクタベースから延在する少なくとも２つの真直ぐなセグメントとを含み、該第２のクリートの少なくとも２つの真直ぐなセグメントの各々は、第１の端部から第２の端部まで延びる第１の面と、第１の面の反対側の第２の面とを有し、該第２のクリートの少なくとも２つの真直ぐなセグメントは、これらの少なくとも２つの真直ぐなセグメントが角を形成する第２の点で互いに接続し、第２の点における角が該履物の後側コバの方向を指し示すように配向されている第２のクリートと、
上記ベースプレートの踵領域に配置された第３のクリートであって、該第３のクリートは、第１の端部から第２の端部まで延びる第１の面を有する真直ぐなセグメントを含み、上記後側コバと対極的な位置に上記内側に近接して配置された第３のクリートと、
上記ベースプレートの踵領域に配置された第４のクリートであって、該第４のクリートは、第１の端部から第２の端部まで延びる第１の面を有する真直ぐなセグメントを含み、上記後側コバと対極的な位置に上記外側に近接して配置された第４のクリートと、
を備える履物。
【請求項１６】
第１の端部から第２の端部まで延びる第１の面と、第１の面の反対側の第２の面とを有する真直ぐなセグメントによって平坦な形状に形成された第５のクリートをさらに含み、
第５のクリートは、上記前足領域に配置されていることを特徴とする請求項１５に記載の履物。
【請求項１７】
第３のクリートは、第１の端部から第２の端部まで延びる第１の面と、第１の面の反対側の第２の面とを有する真直ぐなセグメントによって形成された平坦な形状を有し、第３のクリートは、第２のクリートのセグメントのいずれのセグメントとも角をなすように配向されていることを特徴とする請求項１５に記載の履物。
【請求項１８】
第４のクリートは、第１の端部から第２の端部まで延びる第１の面と、第１の面の反対側の第２の面とを有する真直ぐなセグメントによって平坦な形状に形成されており、該第４のクリートは、第３のクリートとの間で約９０°の角をなすように配向されていることを特徴とする請求項１７に記載の履物。
【請求項１９】
上記前足領域に配置された第５のクリートであって、第１の端部から第２の端部まで延びる第１の面と、第１の面の反対側の第２の面とを有する真直ぐなセグメントによって平坦な形状に形成された第５のクリートと、
上記前足領域に配置された第６のクリートであって、第１の端部から第２の端部まで延びる第１の面と、第１の面の反対側の第２の面とを有する真直ぐなセグメントによって平坦な形状に形成された第６のクリートと、
をさらに備え、
第１のクリートの少なくとも２つの真直ぐなセグメントのうちの１つ、第５のクリートの真直ぐなセグメントおよび第６のクリートの真直ぐなセグメントが円の周縁に沿って整列するように、第１のクリート、第５のクリートおよび第６のクリートが円を描くように配置されていることを特徴とする請求項１８に記載の履物。
【請求項２０】
第１の端部から第２の端部まで延びる第１の面と、第１の面の反対側の第２の面とを有する真直ぐなセグメントによって平坦な形状に形成された第７のクリートであって、上記前足領域の後部において上記内側に近接して配置された第７のクリートと、
第１の端部から第２の端部まで延びる第１の面と、第１の面の反対側の第２の面とを有する真直ぐなセグメントによって平坦な形状に形成された第８のクリートであって、上記前足領域の後部において上記外側に近接して配置された第８のクリートと、
をさらに備える請求項１９に記載の履物。
【発明の詳細な説明】
【技術分野】
【０００１】
本発明は、履物に関し、詳しくは、複数のクリート（滑り止め具）を有するスポーツシューズ（運動靴）に関する。
【背景技術】
【０００２】
クリート付きの履物については、これまでにも提案されている。従来のクリートは、概して、スポーツシューズが地面を掴むことを容易にするものであるが、従来のクリートは、短距離走で一歩目を踏み出す際や着用者がバックステップを踏む（後退する）ときにおける静止摩擦力を必ずしも最適にできるものではない。また、従来のクリートは、急な方向転換をする際に必ずしも最適な静止摩擦力を提供できるものではない。
【発明の概要】
【発明が解決しようとする課題】
【０００３】
スポーツシューズが、短距離走で一歩目を踏み出す際、バックステップを踏む際および急な方向転換をする際における静止摩擦力を最適にすることができるクリートを備えることができれば有利となる。
【課題を解決するための手段】
【０００４】
複数のクリートが装備された履物が開示される。一態様においては、履物が、前足領域、踵領域、上記前足領域と上記踵領域を貫くように延びている長手方向軸、前側コバ、および後側コバを含むベースプレートと、上記ベースプレートの前足領域において上記前側コバと該履物の内側とに近接して配置された第１のクリートであって、角を形成する少なくとも２つの真直ぐなセグメントを含む第１のクリートと、上記ベースプレートの踵領域において上記後側コバと上記ベースプレートの長手方向軸とに近接して配置された第２のクリートであって、角を形成する少なくとも２つの真直ぐなセグメントを含む第２のクリートと、を備える。
【０００５】
第１のクリートの複数の真直ぐなセグメントは、第１の点で互いに接続し、この第１の点における角が上記前側コバと該履物の内側との間の一方向を指し示すように、第１のクリートが配向されている。
【０００６】
第２のクリートの複数の真直ぐなセグメントは、第２の点で互いに接続し、この第２の点における角が該履物の後側端部の方向を指し示すように、第２のクリートが配向されている。
【０００７】
共に上記前足領域に配置された第３のクリートおよび第４のクリートをさらに備え、第１のクリート、第３のクリートおよび第４のクリートは、上記前足領域の一部を画定し得る円の周縁に沿うように並べられている。第３のクリートおよび第４のクリートは、平坦なクリートを含む。上記円の周縁に囲まれた前足領域に配置された第５のクリートをさらに含む。第３のクリートは、平坦なクリートからなり、上記ベースプレートの長手方向軸との間で角をなすように配向されている。
【０００８】
一態様においては、履物が、前足領域、踵領域、上記前足領域と上記踵領域を貫くように延びている長手方向軸、前側コバ、および後側コバを含むベースプレートと、上記ベースプレートの前足領域において上記前側コバと該履物の内側とに近接して配置された第１のクリートであって、角を形成する少なくとも２つの真直ぐなセグメントを含む第１のクリートと、上記前足領域に配置された第２のクリートと、上記前足領域に配置された第３のクリートと、を備え、第１のクリート、第２のクリートおよび第３のクリートは、上記前足領域の一部を画定する円の周縁に沿うように並べられていることを特徴とする。
【０００９】
第１のクリートの複数の真直ぐなセグメントは、第１の点で互いに接続し、この第１の点における角が上記前側コバと該履物の内側との間の一方向を指し示すように、第１のクリートが配向されている。上記円の周縁内の前足領域に配置された第４のクリートをさらに含む。第４のクリートは、平坦なクリートからなり、上記ベースプレートの長手方向軸との間で角をなすように配向されている。上記前足領域の底部（靴底）において該履物の内側に近接して配置された第５のクリートと、上記前足領域の底部において該履物の外側に近接して配置された第６のクリートと、をさらに備える。
【００１０】
第２のクリートは、平坦なクリートからなり、上記ベースプレートの長手方向軸と平行に配向されている。第３のクリートは、平坦なクリートからなり、上記ベースプレートの長手方向軸との間で角をなすように配向されている。
【００１１】
一態様においては、履物が、前足領域、踵領域、上記前足領域と上記踵領域を貫くように延びている長手方向軸、前側コバ、および後側コバを含むベースプレートと、上記ベースプレートの前足領域において上記前側コバと該履物の内側に近接して配置された第１のクリートであって、角を形成する少なくとも２つの真直ぐなセグメントを含む第１のクリートと、上記ベースプレートの踵領域において上記後側コバと上記ベースプレートの長手方向軸とに近接して配置された第２のクリートであって、角を形成する少なくとも２つの真直ぐなセグメントを含む第２のクリートと、上記ベースプレートの踵領域において上記後側コバと対極的な位置で該履物の内側に近接して配置された第３のクリートと、上記ベースプレートの踵領域において上記後側コバと対極的な位置で該履物の外側に近接して配置された第４のクリートと、を備える。
【００１２】
第２のクリートの真直ぐなセグメントは、第２の点で互いに接続し、この第２の点における角が該履物の後側端部の方向を指し示すように、第２のクリートが配向されている。第３のクリートは、平坦なクリートからなり、上記ベースプレートの長手方向軸との間で角をなすように配向されている。第４のクリートは、平坦なクリートからなり、第３のクリートとの間で約９０°の角をなすように配向されている。
【００１３】
上記前足領域に配置された第５のクリートと、上記前足領域に配置された第６のクリートと、をさらに備え、第１のクリート、第５のクリートおよび第６のクリートは、上記前足領域の一部を画定する円の周縁に沿うように並べられている。上記前足領域の底部において該履物の内側に近接して配置された第７のクリートと、上記前足領域の底部において該履物の外側に近接して配置された第８のクリートと、をさらに備える。
【００１４】
本発明の他のシステム、方法、特徴および利点は、以下の詳細な説明および添付の図面を参照することにより当業者に明らかとなろう。そのような追加のシステム、方法、特徴および利点のすべてが、以下の詳細な説明および概要に含まれることが意図され、また、本発明の範囲に含まれ、添付の特許請求の範囲によって保護されることが意図されている。
【００１５】
添付の図面を参照しながら読むことにより、上記の概要と以下の詳細な説明がさらによく理解されよう。なお、各図における構成要素は、同じ縮尺で寸法を示すものとは限らず、本発明の原則を示すことを主眼としている。また、各図に亘って示されている同様の参照番号は、互いに対応する部分（部品）を指し示している。
【図面の簡単な説明】
【００１６】
【図１】クリート付きベースプレートを有する履物の一実施例を示す等角投影図。
【図２】図１のベースプレートの平面図。
【図３】外側から見たベースプレートを示す側面図。
【図４】内側から見たベースプレートを示す側面図。
【図５】図１の履物を着用している野球選手であって、バックステップを踏んで捕球しようとしている野球選手を示す図。
【図６】図５の履物の一部を拡大して示す図。
【図７】一実施例の履物を着用している野球選手であって、打撃後に走り出そうとしている野球選手を示す図。
【図８】図７の履物の一部を拡大して示す図。
【発明を実施するための形態】
【００１７】
複数のクリートが装備された履物が開示される。図１〜図４は、ベースプレート１０２の一実施例を示す。ベースプレート１０２は、履物１００に関連し得る。以下の詳細な説明は、野球シューズの形態の一実施例に関して検討するが、本発明の考え方は、サッカーシューズ、ラグビーシューズおよびフットボールシューズ（これらの履物に限定しない）を含む種々の履物に関連し得ることに留意されたい。図１〜図４に示されている履物１００は、右足用の履物として意図されているが、本発明の詳細な説明は、履物１００を鏡写しにした左足用の履物にも適用され得ることを理解されたい。
【００１８】
いくつかの実施例においては、ベースプレート１０２は、アッパー１０４に関連し得る。アッパー１０４は、種々の周知の機構または方法によってベースプレート１０２にくっ付いている。例えば、アッパー１０４は、ベースプレート１０２に縫い付けられているかベースプレート１０２に糊付けされている。アッパー１０４は、足を受けるように構成され得る。この実施例においては、アッパー１０４の一般的なデザイン（設計）が示されている。いくつかの実施例においては、アッパー１０４は、他の種類のデザインにされる。
【００１９】
ベースプレート１０２およびアッパー１０４は、履物の製造に使用される当技術分野で周知の材料からつくられ得る。例えば、ベースプレート１０２は、エラストマ、シロキサン、天然ゴム、合成ゴム、アルミニウム、スチール（鋼鉄）、天然皮革、合成皮革、プラスチックまたは熱可塑性物質からつくられる。他の例においては、アッパー１０４は、ナイロン、天然皮革、合成皮革、天然ゴムまたは合成ゴムからつくられる。
【００２０】
簡潔に示すために、ベースプレート１０２は、図２〜図４において、他から独立して示されている。ベースプレート１０２は、上面１０６と底面１０８を含み得る。ベースプレート１０２は、アッパー１０４にくっ付いているように構成され得る。また、ベースプレート１０２は、履物のミッドソールまたはインソールにくっ付いているように構成され得る。上面１０６は、ミッドソールまたはインソールと接触しているように構成され得る。ベースプレート１０２は、着用者の前足付近に位置する前足領域１３０を含み得る。ベースプレート１０２は、前足領域１３０の反対側で着用者の踵付近に位置する踵領域１３２を含み得る。ベースプレート１０２は、前足領域１３０と踵領域１３２との間に位置する中足領域を含み得る。ベースプレート１０２は、内側１４０と、内側１４０の反対側にある外側１４４と、を含み得る。ベースプレート１０２は、前側コバ１３４と、前側コバ１３４の反対側に位置する後側コバ１４２と、を含み得る。
【００２１】
底面１０８は、地面と接触するように構成され得る。例えば、底面１０８は、草、人工芝、土または砂と接触するように構成されている。ベースプレート１０２は、これらの地面との静止摩擦力を増大させる装備を有し得る。そのような装備としては、例えば、複数のクリートがある。ベースプレート１０２は、クリート受容部材１１０，１４６，１５２を含み得る。いくつかの実施例においては、クリート受容部材１１０，１４６，１５２は、取り外し可能なクリートを受けるように構成されている。他の実施例においては、ベースプレート１０２は、型成形されたクリートに関連している。例えば、ベースプレート１０２は、型成形されたクリートを受けるように構成されている。他の実施例においては、ベースプレート１０２は、型成形によってベースプレート１０２に一体に形成されたクリートを含む。図１〜図４に示されるように、クリート受容部材１１０，１４６，１５２は、ベースプレート１０２よりも高い位置にされ得る。他の実施例においては、クリート受容部材１１０，１４６，１５２は、ベースプレート１０２と面一に配置されている。
【００２２】
いくつかの実施例においては、クリート受容部材は、ベースプレート１０２の前足領域１３０に配置されている。他の実施例においては、クリート受容部材は、ベースプレート１０２の踵領域１３２に配置されている。いくつかの実施例においては、クリート受容部材は、ベースプレート１０２の中足領域に配置されている。さらに他の実施例においては、クリート受容部材は、ベースプレートの前足領域１３０と踵領域１３２の両方に配置されている。
【００２３】
第１のクリート１１２、第２のクリート１１４、第３のクリート１１６、第４のクリート１１８、第５のクリート１２０および第６のクリート１２２は、ベースプレート１０２の前足領域１３０に配置され得る。第７のクリート１２４、第８のクリート１２６および第９のクリート１２８は、ベースプレート１０２の踵領域１３２に配置され得る。クリートのこの配置を有することで、着用者が斜め方向に走り、振り向き、止まり、加速し、およびバックステップを踏むときの静止摩擦力が増大し得る。クリートは、履物を製造するための当技術分野で周知の材料から製造され得る。例えば、クリートは、エラストマ、シロキサン、天然ゴム、合成ゴム、アルミニウム、スチール（鋼鉄）、天然皮革、合成皮革、プラスチックまたは熱可塑性物質からつくられる。いくつかの実施例においては、複数のクリートは、同じ材料から製造される。他の実施例においては、複数のクリートは、様々な材料から製造される。例えば、第１のクリート１１２がアルミニウムから製造される一方で、第２のクリート１１４が熱可塑性材料から製造される。いくつかの実施例においては、複数のクリートは、同じ形状を有する。他の実施例においては、クリートは、互いに異なる形状を有する。例えば、図１〜図４に示されている実施例は、互いに異なる形状を有する複数のクリートを示している。いくつかの実施例においては、複数のクリートは、同じ高さ、幅および／または厚さを有する。他の実施例においては、複数のクリートは、互いに異なる高さ、互いに異なる幅および／または互いに異なる厚さを有する。
【００２４】
クリート受容部材１１０，１４６，１５２は、様々な形状や寸法のクリートまたはスタッドを受けるように構成され得る。例えば、図１〜図４の実施例に示されているように、クリート受容部材１１０は、第１のクリート１１２、第２のクリート１１４および第７のクリート１２４を受けるように構成されている。いくつかの実施例においては、クリート受容部材は、複数のクリートを受けるように構成されている。例えば、図１〜図４の実施例に示されているように、クリート受容部材１４６は、第４のクリート１１８を受けるように構成されたクリート受け部１４８と、第３のクリート１１６を受けるように構成されたクリート受け部１５０と、を含む。クリート受容部材１５２は、第５のクリート１２０を受けるように構成されたクリート受け部１５６と、第６のクリート１２２を受けるように構成されたクリート受け部１５４と、第８のクリート１２６を受けるように構成されたクリート受け部１５８と、第９のクリート１２８を受けるように構成されたクリート受け部１６０と、を含み得る。
【００２５】
ベースプレート１０２は、クリート以外にも、地面と接触して静止摩擦力を増大させる構成要素を含み得る。いくつかの実施例においては、ベースプレート１０２は、クリートまたはスタッドよりも小さい静止摩擦エレメントを含む。ベースプレート１０２上の静止摩擦エレメントは、地面と係合することによって、着用者が地上で前進するときのコントロール性を高めることができる。加えて、静止摩擦エレメントは、着用者が地面を掘るようにして横へ動くときの安定性を高めることができる。いくつかの実施例においては、静止摩擦エレメントは、ベースプレート１０２内に型成形されている。いくつかの実施例においては、ベースプレート１０２は、取り外し可能な静止摩擦エレメントを受けるように構成されている。
【００２６】
いくつかの実施例においては、第１のクリート１１２は、種々の周知の形状を有する。例えば、図１〜図４に示されているように、第１のクリート１１２は、角のある形状（折れ曲った形状）を有する。角のある形状を有することで、着用者は、第１のクリート１１２を軸として枢動し易くなり、つまり急な方向転換をする際に支援を受けることができる。換言すると、角のある形状を有することによって、前足領域１３０を軸として枢動することを実質的に妨げることなく、静止摩擦力を増大させることができる。いくつかの実施例においては、第１のクリート１１２は、点１３６において角を形成するように互いに接続している２つの真直ぐなセグメント１３８を含む。いくつかの実施例においては、複数の真直ぐなセグメント１３８が一体に形成されている。点１３６に形成される角は、様々な大きさにされ得る。例えば、いくつかの実施例においては、点１３６に形成される角の大きさは、約１２０°〜約１４０°の範囲内にある。いくつかの実施例においては、点１３６に形成される角の大きさは、約１２５°〜約１３４°の範囲内にある。いくつかの実施例においては、点１３６に形成される角の大きさは、約１３４°〜約１３８°の範囲内にある。
【００２７】
真直ぐなセグメント１３８の幅は、様々な寸法にされ得る。例えば、いくつかの実施例においては、真直ぐなセグメント１３８は、約４ｍｍ〜約２０ｍｍの範囲内の幅を有する。いくつかの実施例においては、真直ぐなセグメントは、約７ｍｍ〜約１２ｍｍの範囲内の幅を有する。いくつかの実施例においては、真直ぐなセグメントは、約６ｍｍ〜約８ｍｍの範囲内の幅を有する。いくつかの実施例においては、複数の真直ぐなセグメント１３８は、ほぼ同じ幅を有する。いくつかの実施例においては、複数の真直ぐなセグメント１３８は、互いに異なる幅を有する。例えば、いくつかの実施例においては、真直ぐなセグメントの片方が４ｍｍの幅を有する一方で、真直ぐなセグメント１３８のもう片方が６ｍｍの幅を有する。
【００２８】
真直ぐなセグメント１３８の高さは、様々な寸法にされ得る。例えば、いくつかの実施例においては、真直ぐなセグメント１３８は、約４ｍｍ〜約２０ｍｍの範囲内の高さを有する。いくつかの実施例においては、真直ぐなセグメントは、約６ｍｍ〜約１３ｍｍの範囲内の高さを有する。いくつかの実施例においては、真直ぐなセグメント１３８は、約１０ｍｍ〜約１２．５ｍｍの範囲内の高さを有する。いくつかの実施例においては、複数の真直ぐなセグメント１３８は、ほぼ同じ高さを有する。いくつかの実施例においては、複数の真直ぐなセグメント１３８は、互いに異なる高さを有する。例えば、いくつかの実施例においては、真直ぐなセグメント１３８の片方が１０ｍｍの高さを有する一方で、真直ぐなセグメント１３８のもう片方が１２ｍｍの高さを有する。
【００２９】
真直ぐなセグメント１３８の厚さは、様々な寸法にされ得る。例えば、いくつかの実施例においては、真直ぐなセグメント１３８は、約０．５ｍｍ〜約３ｍｍの範囲内の厚さを有する。いくつかの実施例においては、真直ぐなセグメント１３８は、約１ｍｍ〜約２ｍｍの範囲内の厚さを有する。いくつかの実施例においては、真直ぐなセグメント１３８は、約１．７ｍｍ〜約１．９ｍｍの範囲内の厚さを有する。いくつかの実施例においては、複数の真直ぐなセグメント１３８は、ほぼ同じ厚さを有する。いくつかの実施例においては、複数の真直ぐなセグメント１３８は、互いに異なる厚さを有する。例えば、いくつかの実施例においては、真直ぐなセグメント１３８の片方が１．７ｍｍの厚さを有する一方で、真直ぐなセグメント１３８のもう片方が１．９ｍｍの厚さを有する。
【００３０】
いくつかの実施例においては、第１のクリート１１２は、ベースプレート１０２に第１のクリート１１２を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第１のクリート１１２と一体に形成されている。
【００３１】
いくつかの実施例においては、第１のクリート１１２は、ベースプレート１０２の前側コバ１３４付近に配置されている。いくつかの実施例においては、第１のクリート１１２は、内側１４０付近に配置されている。いくつかの実施例においては、第１のクリート１１２は、ベースプレート１０２の長手方向軸からずれている。線３−３は、第１のクリート１１２がベースプレート１０２の長手方向軸からどの程度ずれているかを示している。線３−３は、ベースプレート１０２の後側コバ１４２からベースプレート１０２の前足領域１３０上の点１３６までの間で、ベースプレート１０２の長手方向軸と重なっている。線３−３は、点１３６から折れ曲がって、ベースプレート１０２の内側１４０へ少し向かうように延びている。いくつかの実施例においては、第１のクリート１１２は、線３−３の折れ曲がった部分と整列している。いくつかの実施例においては、点１３６は、前側コバ１３４と内側１４０との間の一方向を指し示している。第１のクリート１１２は、前側コバ１３４付近にある着用者の第一趾（親指）と整列し得る。いくつかの実施例においては、第１のクリート１１２の点１３６が線３−３の折れ曲がってからの部分と同じ方向を指し示すように、第１のクリート１１２が配向されている。図７および図８を参照して以下に詳述するように、着用者の第一趾付近に第１のクリート１１２が配置されていることで、短距離走の一歩目を踏み出す際や種々の他の動きの際に、第一趾よりも低い位置における静止摩擦力により増大した静止摩擦力を第一趾よりも低い位置にもたらすことができる。またクリート１１２が角のある形状を有することで、方向転換を容易にすることができる。
【００３２】
第１のクリート１１２、第２のクリート１１４および第３のクリート１１６は、前足領域１３０の一部を画定し得る円１６２の周縁に実質的に沿うように配置され得る。この配置を有することで、着用者が様々な方向に枢動して重心移動をすることを容易にしつつ、静止摩擦力を維持することができる。
【００３３】
いくつかの実施例においては、第２のクリート１１４は、種々の周知の形状を有し得る。例えば、図１〜図４に示されているように、第２のクリート１１４は、単一のセグメントによって形成された平坦な形状を有する。いくつかの実施例においては、第２のクリート１１４は、ベースプレート１０２に第２のクリート１１４を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第２のクリート１１４と一体に形成されている。
【００３４】
第２のクリート１１４の幅は、様々な寸法にされ得る。例えば、いくつかの実施例においては、第２のクリート１１４は、約４ｍｍ〜約２０ｍｍの範囲内の幅を有する。いくつかの実施例においては、第２のクリート１１４は、約７ｍｍ〜約１５ｍｍの範囲内の幅を有する。いくつかの実施例においては、第２のクリート１１４は、約１０ｍｍ〜約１３．５ｍｍの範囲内の幅を有する。第２のクリート１１４の高さは、様々な寸法にされ得る。例えば、いくつかの実施例においては、第２のクリート１１４は、約４ｍｍ〜約２０ｍｍの範囲内の高さを有する。いくつかの実施例においては、第２のクリート１１４は、約６ｍｍ〜約１３ｍｍの範囲内の高さを有する。いくつかの実施例においては、第２のクリート１１４は、約１０ｍｍ〜約１２．５ｍｍの範囲内の高さを有する。第２のクリート１１４の厚さは、様々な寸法にされ得る。例えば、いくつかの実施例においては、第２のクリート１１４は、０．５ｍｍ〜３ｍｍの範囲内の厚さを有する。いくつかの実施例においては、第２のクリート１１４は、約１ｍｍ〜約２ｍｍの範囲内の厚さを有する。いくつかの実施例においては、第２のクリート１１４は、約１．７ｍｍ〜約１．９ｍｍの範囲内の厚さを有する。
【００３５】
いくつかの実施例においては、第２のクリート１１４は、ベースプレート１０２の内側１４０付近に配置されている。第２のクリート１１４は、第１のクリート１１２の位置と比較して、前側コバ１３４から遠い位置に配置されている。第２のクリート１１４は、ベースプレート１０２の長手方向軸とほぼ平行に配置され得る。第２のクリート１１４のこの配置を有することで、着用者が第２のクリート１１４と垂直な方向に地面を蹴るとき或いは重心移動をするときの横方向へ動く際における静止摩擦力を高めることができる。
【００３６】
いくつかの実施例においては、第３のクリート１１６は、種々の周知の形状を有する。例えば、図１〜図４に示されているように、第３のクリート１１６は、単一のセグメントによって形成された平坦な形状を有する。いくつかの実施例においては、第３のクリート１１６は、ベースプレート１０２に第３のクリート１１６を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第３のクリート１１６と一体に形成されている。
【００３７】
第３のクリート１１６の幅は、様々な寸法にされ得る。例えば、いくつかの実施例においては、第３のクリート１１６は、約４ｍｍ〜約２０ｍｍの範囲内の幅を有する。いくつかの実施例においては、第３のクリート１１６は、約７ｍｍ〜約１５ｍｍの範囲内の幅を有する。いくつかの実施例においては、第３のクリート１１６は、約１０ｍｍ〜約１３．５ｍｍの範囲内の幅を有する。第３のクリート１１６の高さは、様々な寸法にされ得る。例えば、いくつかの実施例においては、第３のクリート１１６は、約４ｍｍ〜約２０ｍｍの範囲内の高さを有する。いくつかの実施例においては、第３のクリート１１６は、約６ｍｍ〜約１３ｍｍの範囲内の高さを有する。いくつかの実施例においては、第３のクリート１１６は、約１０ｍｍ〜約１２．５ｍｍの範囲内の高さを有する。第３のクリート１１６の厚さは、様々な寸法にされ得る。例えば、いくつかの実施例においては、第３のクリート１１６は、約０．５ｍｍ〜３ｍｍの範囲内の厚さを有する。いくつかの実施例においては、第３のクリート１１６は、約１ｍｍ〜約２ｍｍの範囲内の厚さを有する。いくつかの実施例においては、第３のクリート１１６は、約１．７ｍｍ〜約１．９ｍｍの範囲内の厚さを有する。
【００３８】
いくつかの実施例においては、第３のクリート１１６は、ベースプレート１０２の外側１４４付近に配置されている。第３のクリート１１６は、第１のクリート１１２および第２のクリート１１４の位置と比較して、前側コバ１３４から遠い位置に配置され得る。第３のクリート１１６は、ベースプレート１０２の長手方向軸との間で角をなすように配置されている。例えば、いくつかの実施例においては、第３のクリート１１６は、ベースプレート１０２の長手方向軸との間で約３０°〜約５０°の範囲内の角をなしている。いくつかの実施例においては、第３のクリート１１６は、ベースプレート１０２の長手方向軸との間で約３５°〜約４５°の範囲内の角をなしている。いくつかの実施例においては、第３のクリート１１６は、ベースプレート１０２の長手方向軸との間で約４０°〜約５０°の範囲内の角をなしている。第３のクリート１１６のこの配置を有することで、着用者が第３のクリート１１６と垂直な方向に地面を蹴るとき或いは重心移動をするときの横方向へ動く際における静止摩擦力を高めることができる。
【００３９】
いくつかの実施例においては、第４のクリート１１８は、周知の種々の形状を有し得る。例えば、図１〜図４に示されているように、第４のクリート１１８は、単一のセグメントによって形成された平坦な形状を有する。いくつかの実施例においては、第４のクリート１１８は、ベースプレート１０２に第４のクリート１１８を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第４のクリート１１８と一体に形成されている。
【００４０】
第４のクリート１１８の幅は、様々な寸法にされ得る。例えば、いくつかの実施例においては、第４のクリート１１８は、約４ｍｍ〜約２０ｍｍの範囲内の幅を有する。いくつかの実施例においては、第４のクリート１１８は、約７ｍｍ〜約１５ｍｍの範囲内の幅を有する。いくつかの実施例においては、第４のクリート１１８は、約１０ｍｍ〜約１３．５ｍｍの範囲内の幅を有する。第４のクリート１１８の高さは、様々な寸法にされ得る。例えば、いくつかの実施例においては、第４のクリート１１８は、約４ｍｍ〜約２０ｍｍの範囲内の高さを有する。いくつかの実施例においては、第４のクリート１１８は、約６ｍｍ〜約１３ｍｍの範囲内の高さを有する。いくつかの実施例においては、第４のクリート１１８は、約１０ｍｍ〜約１２．５ｍｍの範囲内の高さを有する。第４のクリート１１８の厚さは、様々な寸法にされ得る。例えば、いくつかの実施例においては、第４のクリート１１８は、約０．５ｍｍ〜約３ｍｍの範囲内の厚さを有する。いくつかの実施例においては、第４のクリート１１８は、約１ｍｍ〜約２ｍｍの範囲内の厚さを有する。いくつかの実施例においては、第４のクリート１１８は、約１．７ｍｍ〜約１．９ｍｍの範囲内の厚さを有する。
【００４１】
いくつかの実施例においては、第４のクリート１１８は、外側１４４付近に配置されている。第４のクリート１１８は、第３のクリート１１６と前側コバ１３４との間に配置され得る。第４のクリート１１８は、第１のクリート１１２の位置と比較すると前側コバ１３４から遠い位置に配置されているが、第２のクリート１１４の位置と比較すると前側コバ１３４に近い位置に配置され得る。第４のクリート１１８は、第３のクリート１１６との間で角をなすように配置され得る。例えば、いくつかの実施例においては、第４のクリート１１８は、第３のクリート１１６との間で約８０°の角をなしている。いくつかの実施例においては、第４のクリート１１８は、第３のクリート１１６との間で約８０°〜約１００°の範囲内の角をなしている。いくつかの実施例においては、第４のクリート１１８は、第３のクリート１１６との間で約８５°〜約９５°の範囲内の角をなしている。第４のクリート１１８のこの配置を有することで、着用者が第４のクリート１１８と垂直な方向に地面を蹴るとき或いは重心移動をするときの様々な方向へ動く際における静止摩擦力を高めることができる。第３のクリート１１６と第４のクリート１１８とが互いに近接していること及びこれらの間になす角を有することで、着用者が第２のクリート１１４に垂直な方向に地面を蹴るとき或いは重心移動をするときの横方向へ動く際における静止摩擦力を高めることができる。そのような動きの際、地面を蹴ること或いは重心移動をすることに起因する力は、第３のクリート１１６および第４のクリート１１８の両方に分配され得る。
【００４２】
いくつかの実施例においては、第５のクリート１２０は、種々の周知の形状を有する。例えば、図１〜図４に示されているように、第５のクリート１２０は、単一のセグメントによって形成された平坦な形状を含む。いくつかの実施例においては、第５のクリート１２０は、ベースプレート１０２に第５のクリート１２０を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第５のクリート１２０と一体に形成されている。
【００４３】
第５のクリート１２０の幅は、様々な寸法にされ得る。例えば、いくつかの実施例においては、第５のクリート１２０は、約４ｍｍ〜約２０ｍｍの範囲内の幅を有する。いくつかの実施例においては、第５のクリート１２０は、約７ｍｍ〜約１５ｍｍの範囲内の幅を有する。いくつかの実施例においては、第５のクリート１２０は、約１０ｍｍ〜約１３．５ｍｍの範囲内の幅を有する。第５のクリート１２０の高さは、様々な寸法にされ得る。例えば、いくつかの実施例においては、第５のクリート１２０は、約４ｍｍ〜約２０ｍｍの範囲内の高さを有する。いくつかの実施例においては、第５のクリート１２０は、約６ｍｍ〜約１３ｍｍの範囲内の高さを有する。いくつかの実施例においては、第５のクリート１２０は、約１０ｍｍ〜約１２．５ｍｍの範囲内の高さを有する。第５のクリート１２０の厚さは、様々な寸法にされ得る。例えば、いくつかの実施例においては、第５のクリート１２０は、約０．５ｍｍ〜約３ｍｍの範囲内の厚さを有する。いくつかの実施例においては、第５のクリート１２０は、約１ｍｍ〜約２ｍｍの範囲内の厚さを有する。いくつかの実施例においては、第５のクリート１２０は、約１．７ｍｍ〜約１．９ｍｍの範囲内の厚さを有する。
【００４４】
いくつかの実施例においては、第５のクリート１２０は、第４のクリート１１８の位置と比較して、前側コバ１３４から遠い位置に配置されている。第５のクリート１２０は、内側１４０付近に配置され得る。第５のクリート１２０は、ベースプレート１０２の前足領域１３０の底部付近に配置され得る。第５のクリート１２０は、ベースプレート１０２の長手方向軸との間で角をなすように配置されている。例えば、いくつかの実施例においては、第５のクリート１２０は、ベースプレート１０２の長手方向軸との間で約３０°〜約５０°の範囲内の角をなしている。いくつかの実施例においては、第５のクリート１２０は、ベースプレート１０２の長手方向軸との間で約４０°〜約４５°の範囲内の角をなしている。いくつかの実施例においては、第５のクリート１２０は、ベースプレート１０２の長手方向軸との間で約４５°〜約５０°の範囲内の角をなしている。第５のクリート１２０のこの配置を有することで、着用者が第５のクリート１２０と垂直な方向に地面を蹴るとき或いは重心移動をするときの横方向へ動く際における静止摩擦力を高めることができる。いくつかの実施例においては、第５のクリート１２０は、第４のクリート１１８とほぼ平行に配置されている。第５のクリート１２０のこの配置を有することで、第５のクリート１２０および第４のクリート１１８と垂直な方向の静止摩擦力をさらに高めることができる。この配置を有することで、第５のクリート１２０から第４のクリート１１８まで（この逆も然り）重心移動をする際における静止摩擦力を高めることもできる。
【００４５】
いくつかの実施例においては、第６のクリート１２２は、種々の周知の形状を有する。例えば、図１〜図４に示されているように、第６のクリート１２２は、単一のセグメントによって形成された平坦な形状を有する。いくつかの実施例においては、第６のクリート１２２は、ベースプレート１０２に第６のクリート１２２を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取り外し可能な機構によってベースプレート１０２に接続されている。いくつかの実施例においては、コネクタベースは、第６のクリート１２２と一体に形成されている。
【００４６】
第６のクリート１２２の幅は、様々な寸法にされ得る。例えば、いくつかの実施例においては、第６のクリート１２２は、約４ｍｍ〜約２０ｍｍの範囲内の幅を有する。いくつかの実施例においては、第６のクリート１２２は、約７ｍｍ〜約１５ｍｍの範囲内の幅を有する。いくつかの実施例においては、第６のクリート１２２は、約１０ｍｍ〜約１３．５ｍｍの範囲内の幅を有する。第６のクリート１２２の高さは、様々な寸法にされ得る。例えば、いくつかの実施例においては、第６のクリート１２２は、約４ｍｍ〜約２０ｍｍの範囲内の高さを有する。いくつかの実施例においては、第６のクリート１２２は、約６ｍｍ〜約１３ｍｍの範囲内の高さを有する。いくつかの実施例においては、第６のクリート１２２は、約１０ｍｍ〜約１２．５ｍｍの範囲内の高さを有する。第６のクリート１２２の厚さは、様々な寸法にされ得る。例えば、いくつかの実施例においては、第６のクリート１２２は、約０．５ｍｍ〜約３ｍｍの範囲内の厚さを有する。いくつかの実施例においては、第６のクリート１２２は、約１ｍｍ〜約２ｍｍの範囲内の厚さを有する。いくつかの実施例においては、第６のクリート１２２は、約１．７ｍｍ〜約１．９ｍｍの範囲内の厚さを有する。
【００４７】
いくつかの実施例においては、第６のクリート１２２は、第４のクリート１１８の位置と比較して、前側コバ１３４から遠い位置に配置されている。いくつかの実施例においては、第６のクリート１２２は、第５のクリート１２０の位置と比較して、前側コバ１３４から実質的に遠い位置に配置されている。第６のクリート１２２は、外側１４４付近に配置され得る。第６のクリート１２２は、ベースプレート１０２の前足領域１３０の底部付近に配置され得る。第６のクリート１２２は、ベースプレート１０２の長手方向軸との間で角をなすように配置され得る。例えば、いくつかの実施例においては、第６のクリート１２２は、ベースプレート１０２の長手方向軸との間で約３０°〜約５０°の範囲内の角をなしている。いくつかの実施例においては、第６のクリート１２２は、ベースプレート１０２の長手方向軸との間で約４０°〜約４５°の範囲内の角をなしている。いくつかの実施例においては、第６のクリート１２２は、ベースプレート１０２の長手方向軸との間で約４５°〜約５０°の範囲内の角をなしている。第６のクリート１２２のこの配置を有することで、着用者が第６のクリート１２２と垂直な方向に地面を蹴るとき或いは重心移動をするときの横方向に動く際における静止摩擦を高めることができる。
【００４８】
いくつかの実施例においては、第６のクリート１２２は、第３のクリート１１６とほぼ平行に配置されている。第６のクリート１２２のこの配置を有することで、第６のクリート１２２および第３のクリート１１６と垂直な方向の静止摩擦力をさらに高めることができる。この配置を有することで、第６のクリート１２２から第３のクリート１１６まで（この逆も然り）重心移動をするときの静止摩擦力を高めることもできる。いくつかの実施例においては、第６のクリート１２２は、第５のクリート１２０とほぼ垂直に配置されている。いくつかの実施例においては、第６のクリート１２２は、第５のクリート１２０とほぼ対極的な位置に配置されている。第６のクリート１２２と第５のクリート１２０とが互いに近接していること及びこれらの間になす角を有することにより、着用者が前側コバ１３４とほぼ反対側の方向に地面を蹴るとき或いは重心移動をするときの前進する際における静止摩擦力を高めることができる。そのような動きの際に、地面を蹴ること或いは重心移動をすることに起因する力は、第６のクリート１２２と第５のクリート１２０の両方に分配され得る。第６のクリート１２２と第５のクリート１２０とが互いに近接していること及びこれらの間になす角を有することで、前足領域１３０を軸として枢動することを妨げることなく、静止摩擦力を提供することができる。
【００４９】
いくつかの実施例においては、第７のクリート１２４は、種々の周知の形状を有する。例えば、図１〜図４に示されている実施例においては、第７のクリート１２４は、単一のセグメントによって形成された平坦な形状を有する。いくつかの実施例においては、第５のクリート１２０は、ベースプレート１０２に第５のクリート１２０を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取り外し可能な機構によってベースプレート１０２に接続されている。いくつかの実施例においては、コネクタベースは、第５のクリート１２０と一体に形成されている。
【００５０】
第７のクリート１２４の幅は、様々な寸法にされ得る。例えば、いくつかの実施例においては、第７のクリート１２４は、約４ｍｍ〜約２０ｍｍの範囲内の幅を有する。いくつかの実施例においては、第７のクリート１２４は、約７ｍｍ〜約１５ｍｍの範囲内の幅を有する。いくつかの実施例においては、第７のクリート１２４は、約１０ｍｍ〜１３．５ｍｍの範囲内の幅を有する。第７のクリート１２４の高さは、様々な寸法にされ得る。例えば、いくつかの実施例においては、第７のクリート１２４は、約４ｍｍ〜約２０ｍｍの範囲内の高さを有する。いくつかの実施例においては、第７のクリート１２４は、約６ｍｍ〜約１３ｍｍの範囲内の高さを有する。いくつかの実施例においては、第７のクリート１２４は、約１０ｍｍ〜約１２．５ｍｍの範囲内の高さを有する。第７のクリート１２４の厚さは、様々な寸法にされ得る。例えば、いくつかの実施例においては、第７のクリート１２４は、約０．５ｍｍ〜約３ｍｍの範囲内の厚さを有する。いくつかの実施例においては、第７のクリート１２４は、約１ｍｍ〜約２ｍｍの範囲内の厚さを有する。いくつかの実施例においては、第７のクリート１２４は、約１．７ｍｍ〜約１．９ｍｍの範囲内の厚さを有する。
【００５１】
いくつかの実施例においては、第７のクリート１２４は、ベースプレート１０２の踵領域１３２に配置されている。第７のクリート１２４は、ベースプレート１０２の踵領域１３２において後側コバ１４２とほぼ対極的な位置に配置され得る。第７のクリート１２４は、内側１４０付近に配置され得る。第７のクリート１２４は、ベースプレート１０２の長手方向軸との間で角をなすように配置され得る。例えば、いくつかの実施例においては、第７のクリート１２４は、ベースプレート１０２の長手方向軸との間で約３０°〜約５０°の範囲内の角をなしている。いくつかの実施例においては、第７のクリート１２４は、ベースプレート１０２の長手方向軸との間で約４０°〜約４５°の範囲内の角をなしている。いくつかの実施例においては、第７のクリート１２４は、ベースプレート１０２の長手方向軸との間で約４５°〜約５０°の範囲内の角をなしている。第７のクリート１２４のこの配置を有することで、着用者が第７のクリート１２４と垂直な方向に地面を蹴るとき或いは重心移動をするときの横方向へ動く際における静止摩擦力を高めることができる。
【００５２】
いくつかの実施例においては、第８のクリート１２６は、ベースプレート１０２の踵領域１３２に配置されている。第８のクリート１２６は、ベースプレート１０２の踵領域１３２において後側コバ１４２とほぼ対極的な位置に配置され得る。第８のクリート１２６は、外側１４４付近に配置され得る。いくつかの実施例においては、第８のクリート１２６は、種々の周知の形状を有する。例えば、図１〜図４に示されているように、第８のクリート１２６は、単一のセグメントによって形成された平坦な形状を有する。第８のクリート１２６は、ベースプレート１０２の長手方向軸との間で角をなすように配置され得る。例えば、いくつかの実施例においては、第８のクリート１２６は、ベースプレート１０２の長手方向軸との間で３０°〜約５０°の範囲内の角をなしている。いくつかの実施例においては、第８のクリート１２６は、ベースプレート１０２の長手方向軸と間で約４０°〜約４５°の範囲内の角をなしている。いくつかの実施例においては、第８のクリート１２６は、ベースプレート１０２の長手方向軸と間で約４５°〜約５０°の範囲内の角をなしている。第８のクリート１２６のこの配置を有することで、着用者が第８のクリート１２６と垂直な方向に地面を蹴るとき或いは重心移動をするときの横方向へ動く際における静止摩擦力を高めることができる。
【００５３】
いくつかの実施例においては、第８のクリート１２６は、第７のクリート１２４に対してほぼ平行に配置されている。いくつかの実施例においては、第８のクリート１２６は、第７のクリート１２４とほぼ対極的な位置に配置されている。第８のクリート１２６と第７のクリート１２４とが近接していること及びこれらの間になす角を有することにより、着用者が後側コバ１４２とほぼ反対側の方向に地面を蹴るとき或いは重心移動をするときのバックステップを踏む（後退する）際における静止摩擦力を高めることができる。そのような動きの際に、地面を蹴ること或いは重心移動をすることに起因する力は、第８のクリート１２６と第７のクリート１２４の両方に分配され得る。第８のクリート１２６と第７のクリート１２４とが互いに近接していること及びこれらの間になす角を有することにより、踵領域１３２を軸として枢動することを妨げることなく、静止摩擦力を提供することができる。
【００５４】
いくつかの実施例においては、第８のクリート１２６は、ベースプレート１０２に第８のクリート１２６を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取り外し可能な機構によってベースプレート１０２に接続されている。いくつかの実施例においては、コネクタベースは、第８のクリート１２６と一体に形成されている。
【００５５】
第８のクリート１２６の幅は、様々な寸法にされ得る。例えば、いくつかの実施例においては、第８のクリート１２６は、約４ｍｍ〜約２０ｍｍの範囲内の幅を有する。いくつかの実施例においては、第８のクリート１２６は、約７ｍｍ〜約１５ｍｍの範囲内の幅を有する。いくつかの実施例においては、第８のクリート１２６は、約１０ｍｍ〜約１３．５ｍｍの範囲内の幅を有する。第８のクリート１２６の高さは、様々な寸法にされ得る。例えば、いくつかの実施例においては、第８のクリート１２６は、約４ｍｍ〜約２０ｍｍの範囲内の高さを有する。いくつかの実施例においては、第８のクリート１２６は、約６ｍｍ〜約１３ｍｍの範囲内の高さを有する。いくつかの実施例においては、第８のクリート１２６は、約１０ｍｍ〜約１２．５ｍｍの範囲内の高さを有する。第８のクリート１２６の厚さは、様々な寸法にされ得る。例えば、いくつかの実施例においては、第８のクリート１２６は、約０．５ｍｍ〜約３ｍｍの範囲内の厚さを有する。いくつかの実施例においては、第８のクリート１２６は、約１ｍｍ〜約２ｍｍの範囲内の厚さを有する。いくつかの実施例においては、第８のクリート１２６は、約１．７ｍｍ〜約１．９ｍｍの範囲内の厚さを有する。
【００５６】
いくつかの実施例においては、第９のクリート１２８は、種々の周知の形状を有する。例えば、図１〜図４に示されているように、第９のクリート１２８は、角のある形状を有する。角のある形状を有することで、着用者は、第９のクリート１２８を軸として枢動し易くなり、つまり急な方向転換をする際に支援を受けることができる。換言すると、角のある形状を有することによって、踵領域１３２を軸として枢動することを実質的に妨げることなく、静止摩擦力を高めることができる。いくつかの実施例においては、第９のクリート１２８は、点１７０において角を形成する２つの真直ぐなセグメント１７２を含む。いくつかの実施例においては、複数の真直ぐなセグメント１７２が一体に形成されている。点１７０に形成される角は、様々な大きさにされ得る。例えば、いくつかの実施例においては、点１７０に形成される角の大きさは、約１２０°〜約１４０°の範囲内にある。いくつかの実施例においては、点１７０に形成される角の大きさは、約１２５°〜約１３４°の範囲内にある。いくつかの実施例においては、点１７０に形成される角の大きさは、約１３４°〜約１３８°の範囲内にある。
【００５７】
真直ぐなセグメント１７２の幅は、様々な寸法にされ得る。例えば、いくつかの実施例においては、真直ぐなセグメント１７２は、約４ｍｍ〜約２０ｍｍの範囲内の幅を有する。いくつかの実施例においては、真直ぐなセグメント１７２は、約７ｍｍ〜約１２ｍｍの範囲内の幅を有する。いくつかの実施例においては、真直ぐなセグメント１７２は、約６ｍｍ〜約８ｍｍの範囲内の幅を有する。いくつかの実施例においては、複数の真直ぐなセグメント１７２は、ほぼ同じ幅を有する。いくつかの実施例においては、複数の真直ぐなセグメント１７２は、互いに異なる幅を有する。例えば、いくつかの実施例においては、真直ぐなセグメント１７２の片方が４ｍｍの幅を有する一方で、真直ぐなセグメント１７２のもう片方が６ｍｍの幅を有する。
【００５８】
真直ぐなセグメント１７２の高さは、様々な寸法にされ得る。例えば、いくつかの実施例においては、真直ぐなセグメント１７２は、約４ｍｍ〜約２０ｍｍの範囲内の高さを有する。いくつかの実施例においては、真直ぐなセグメント１７２は、約６ｍｍ〜約１３ｍｍの範囲内の高さを有する。いくつかの実施例においては、真直ぐなセグメント１７２は、約１０ｍｍ〜約１２．５ｍｍの範囲内の高さを有する。いくつかの実施例においては、複数の真直ぐなセグメント１７２は、ほぼ同じ高さを有する。いくつかの実施例においては、複数の真直ぐなセグメント１７２は、互いに異なる高さを有する。例えば、いくつかの実施例においては、真直ぐなセグメント１７２の片方が１０ｍｍの高さを有する一方で、真直ぐなセグメント１７２のもう片方が１２ｍｍの高さを有する。
【００５９】
真直ぐなセグメント１７２の厚さは、様々な寸法にされ得る。例えば、いくつかの実施例においては、真直ぐなセグメント１７２は、約０．５ｍｍ〜約３ｍｍの範囲内の厚さを有する。いくつかの実施例においては、真直ぐなセグメント１７２は、約１ｍｍ〜約２ｍｍの範囲内の厚さを有する。いくつかの実施例においては、真直ぐなセグメント１７２は、約１．７ｍｍ〜約１．９ｍｍの範囲内の厚さを有する。いくつかの実施例においては、複数の真直ぐなセグメント１７２は、ほぼ同じ厚さを有する。いくつかの実施例においては、複数の真直ぐなセグメント１７２は、互いに異なる厚さを有する。例えば、いくつかの実施例においては、真直ぐなセグメント１７２の片方が１．７ｍｍの厚さを有する一方で、真直ぐなセグメント１７２のもう片方が１．９ｍｍの厚さを有する。
【００６０】
いくつかの実施例においては、第１の第９のクリート１２８が、ベースプレート１０２に第９のクリート１２８を接続するためのコネクタベース（破線で示されている）を含む。いくつかの実施例においては、コネクタベースは、クリート受容部材よりも低い位置に配置されている。いくつかの実施例においては、コネクタベースは、クリート受容部材よりも高い位置に配置されている。いくつかの実施例においては、コネクタベースは、ネジなどの取外し可能な機構によってベースプレート１０２に接続されている。いくつかの実施例においては、コネクタベースは、第９のクリート１２８と一体に形成されている。
【００６１】
いくつかの実施例においては、第９のクリート１２８は、後側コバ１４２付近に配置されている。第９のクリート１２８は、点１７０がベースプレートの長手方向軸に近接するように、配置され得る。そして、第９のクリート１２８は、点１７０における角がベースプレート１０２の長手方向軸から少しずれて外側１４４を指し示すように、配置され得る。また、第９のクリート１２８は、点１７０における角が後側コバ１４２を指し示すように配置され得る。図６および図７を参照して以下に詳細に説明するように、この配置を有することで、バックステップを踏むとき或いは着用者が踵へ重心移動をするときにおける静止摩擦力を高めることができる。
【００６２】
第７のクリート１２４、第８のクリート１２６および第９のクリート１２８が踵領域１３２に配置されていることで、これらのクリートは協働して、着用者が枢動して様々な方向に重心移動をすることを容易にしつつ、静止摩擦力を維持することができる。
【００６３】
図５は、履物１００を着用している野球選手５００であって、バックステップを踏んで捕球しようとしている野球選手５００を示している。野球選手５００が後退するとき、この選手の重心は、踵に移されよう。この野球選手５００が後退して重心を踵に移すとき、第７のクリート１２４、第８のクリート１２６および第９のクリート１２８が地面を掘るようにして静止摩擦力を高める。図６は、図５の履物１００の一部を拡大して示す図である。図６は、第７のクリート１２４と第９のクリート１２８が地面を掘るときの内側１４０を示している。破線は、第７のクリート１２４と第９のクリート１２８のうち地面よりも低い位置にある部分を示している。静止摩擦力が高められていることにより、野球選手５００に優れた安定性をもたらすとともに、野球選手５００が後退するときに滑らないようにすることができる。
【００６４】
図７は、履物７００を着用している野球選手７９０であって、打撃後にホームプレート付近から走り出そうとして一歩目を踏み出している野球選手７９０を示している。履物７００は、履物１００を鏡写しにした左足用の履物であり得る。履物７００は、前側コバ７３４、内側７４０、第１のクリート１３４と同様の第１のクリート７３４、第２のクリート１１４と同様の第２のクリート７１４、および第５のクリート１２０と同様の第３のクリート７２０を有するベースプレート７０２を含み得る。野球選手７９０は、前進するとき、履物７００を履いている足をしっかり立ててから地面を蹴る。このとき、野球選手７９０の重心は前足へ移され得る。野球選手７９０が重心を前足へ移して前進しようとするとき、第１のクリート７３４、第２のクリート７１４および第３のクリート７２０が地面を掘ることで静止摩擦力を高めることができる。図８は、図７における履物７００の一部を拡大して示す図である。図８は、地面を掘っている第１のクリート７３４、第２のクリート７１４および第３のクリート７２０を示す。破線は、第１のクリート７３４、第２のクリート７１４および第３のクリート７２０のうち地面よりも低い位置にある部分を示している。静止摩擦力が高められていることにより、野球選手７９０に優れた安定性をもたらすとともに、この野球選手７９０が履物７００を履いている足で地面を蹴るときに滑らないようにすることができる。
【００６５】
本発明の様々な実施形態について説明したが、この説明は、例示するためのものであり、発明の範囲を制限するためのものではない。当業者であれば、本発明の範囲を逸脱することなく、さらに多くの実施形態や適用例があり得ることを理解されよう。従って、本発明は、添付の特許請求の範囲およびこれの均等物に照らすこと以外によって限定されるものではない。すなわち、添付の特許請求の範囲内において、様々な変形や変更がなされ得る。
【図１】
0005883502.tif 000002
【図２】
0005883502.tif 000003
【図３】
0005883502.tif 000004
【図４】
0005883502.tif 000005
【図５】
0005883502.tif 000006
【図６】
0005883502.tif 000007
【図７】
0005883502.tif 000008
【図８】
0005883502.tif 000009